(57)【要約】【課題】マルチコンセントの電気装置の提供。【解決手段】本考案はマルチコンセントの電気装置であり、コンセント本体及びコンセントケーブルを含めている。コンセント本体には、充電ソケット、数個のプラグ挿入口及びＵＳＢポートが設けられている。コンセントケーブルの片端はコンセント本体に電気的に連結しており、反対側の端は外部交流電源装置に接続する。本考案のマルチコンセント電気装置にはＵＳＢポートが設けられることで、使用者がパソコンを利用できない状況においても、外部の一般の交流電源装置だけでＵＳＢポートがついている電子装置に対して電源を提供したり、充電をさせたりすることができるので、使用者に便利与える。【選択図】図３
0003127310.tif 000002
【実用新案登録請求の範囲】
【請求項１】
コンセント本体及びコンセントケーブルを含み、コンセント本体は電子充電ソケット及び数個のプラグ挿入口が設けられ、
コンセントケーブルはその片端はコンセント本体と電気的に連結しており、  もう一端は外部の交流電源装置に接続し、コンセント本体にＵＳＢポートが設けられていることを特徴とするマルチコンセント電気装置。
【請求項２】
当該コンセント本体はほぼ横ばいのフラット矩形になっており、トップ面、前端面、及び後端面があり、前述のＵＳＢポートは前端面に配置されていることを特徴とする請求項１記載のマルチコンセント電気装置。
【請求項３】
当該トップ面には左から右へ順次に指示ランプ、充電ソケット、四つの交流三相プラグ挿入口及び電源スイッチが設けられ、前端面では指示ランプに対応する側にＵＳＢポートが設けられ、コンセント本体は電源スイッチのある一端でコンセントケーブルと電気的に連結していることを特徴とする請求項２記載のマルチコンセント電気装置。
【請求項４】
当該ＵＳＢポートは二つ設けられており、上下に並列するように配置されることを特徴とする請求項２記載のマルチコンセント電気装置。
【考案の詳細な説明】
【技術分野】
【０００１】
本考案は電気コンセント装置に関し、特にマルチコンセント電気装置に関わるものである。
【背景技術】
【０００２】
ここ数年、電子テクノロジーが速やかに発展してきており、各種の電子設備が続々と発売されている。生活においても、仕事においても、ますます数多くの電子設備が利用できるようになり、公衆の需要を満たしている。
【０００３】
前に触れた、数多くの電子設備において、ある電子類の設備、すなわちコマーシャル電子製品は流行、便利さ及び機能の強さなどが特に際立っている。この種類の製品は携帯電話、ＭＰ３、MP４、PSP、デジカメなどがある。ＵＳＢポートにはプラグアンドプレイ、ホットプラグ及び高速通信などの特長があるため、普遍にこれらの消費類電子製品で運用されている。
【０００４】
通常、これらの消費類電子製品にあるＵＳＢポートは常に信号通信用のインターフェースとしてパソコンとの間の信号通信用に使用される。しかし、部分の市販品の消費類電子製品は、ＵＳＢポートを利用して稼動電源を提供したり、充電したりするようになっている利用法では、使用者の周りにパソコンが置いていない場合に、既存の電気コンセント装置でこれらの消費類電子製品に電気を供給したり、充電をさせたりすることができないので、使用者にとっては不便である。
【考案の開示】
【考案が解決しようとする課題】
【０００５】
本考案の目的はマルチ電気コンセントを提供することにある。この電気コンセントには、コンセント本体及びコンセントケーブルが含まれている。コンセント本体には電池の充電ソケット、数個のプラグ挿入口及びＵＳＢポートが設けられている。コンセントケーブルの片端はコンセント本体と電気的に連結しており、反対方向の端は外部の交流電源装置に接続することができる。当考案のマルチコンセント電気装置にはＵＳＢポートが設けられているため、使用者がパソコンの置いてない環境では、外部の普通交流電源装置を利用するだけで、ＵＳＢが付いている電子装置に電源を供給したり、充電をさせたりすることができるので、便利に利用できる。
【課題を解決するための手段】
【０００６】
請求項１の考案は、コンセント本体及びコンセントケーブルを含み、コンセント本体は電子充電ソケット及び数個のプラグ挿入口が設けられ、
コンセントケーブルはその片端はコンセント本体と電気的に連結しており、  もう一端は外部の交流電源装置に接続し、コンセント本体にＵＳＢポートが設けられていることを特徴とするマルチコンセント電気装置としている。
請求項２の考案は、当該コンセント本体はほぼ横ばいのフラット矩形になっており、トップ面、前端面、及び後端面があり、前述のＵＳＢポートは前端面に配置されていることを特徴とする請求項１記載のマルチコンセント電気装置としている。
請求項３の考案は、当該トップ面には左から右へ順次に指示ランプ、充電ソケット、四つの交流三相プラグ挿入口及び電源スイッチが設けられ、前端面では指示ランプに対応する側にＵＳＢポートが設けられ、コンセント本体は電源スイッチのある一端でコンセントケーブルと電気的に連結していることを特徴とする請求項２記載のマルチコンセント電気装置としている。
請求項４の考案は、当該ＵＳＢポートは二つ設けられており、上下に並列するように配置されることを特徴とする請求項２記載のマルチコンセント電気装置としている。
【考案の効果】
【０００７】
本考案はマルチコンセント電気装置はＵＳＢポートの設置により、使用者にパソコンのない環境で、外部の普通交流電源装置を介してＵＳＢの付いている電子装置にたいして電源の供給や充電をすることを行い、使用者には便利に使用できる。そして、当考案のマルチコンセント電気装置はまた、充電ソケット及び充電電極で外部の充電電池に対して充電することもでき、余分の電池充電装置が必要なく、使用者はさらに便利に使える。
【考案を実施するための最良の形態】
【０００８】
図１では、当考案のマルチコンセント電気装置１００がコンセント本体１及びコンセントケーブル２を含めている。両方は電気的に連結しており、コンセント本体１には複数の外部電子装置の電源プラグを挿し込むことができる。コンセントケーブル２は外部の交流電源装置に接続することにより、当考案のマルチコンセント電気装置１００に電源を供給することができる。
【０００９】
続いて図１を参照すること。コンセント本体１がほぼ横ばいのフラット矩形になっており、トップ面１１、前端面１２及び後端面１３をもっている。トップ面１１は左から右へ順番に、指示ランプ１４、充電ソケット１５、四つの交流三相プラグ挿入口１６及び電源スイッチ１７が配置されている。前端面１２では指示ランプ１４に対応する側にＵＳＢポート１８を設置する。後端面１３では充電ソケット１５に対応する側に充電ソケットに１５向かって突き出している二つの電極１９を設置する。電源スイッチ１７には左スイッチ部１７１と右スイッチ部１７２がある。左スイッチ部１７１を押せば、本考案のマルチコンセント電気装置１００の電源は切断され、指示ランプ１４が消灯する。右スイッチ部１７２を押せば、本考案のマルチコンセント電気装置１００の電源は投入されて指示ランプ１４が点灯する。
【００１０】
そして、図１を参照すること。コンセントケーブル２の片端はコンセント本体１の電源スイッチ１７が配置しているところの端と電気的に連結しており、反対側の端は電源プラグ２１と電気的に連結している。電源プラグ２１は外部の交流電源装置に接続するのに使われる。例えば、交流電源コンセントに接続することにより、当考案のマルチコンセント電気装置１００に稼動電源を提供することができる。
【００１１】
図２を参照すること。本考案のマルチコンセント電気装置１００が稼動する際に、四つの交流三相プラグ挿入口１６に、外部の電子装置の普通交流電源プラグを挿し込んで使用できる(図の中では示されていない)。充電ソケット１５には電池の装着に用いられて、充電を行う(後で詳しく述べる)。ＵＳＢポート１８には外部の電子装置の差込みができ、電源を供給したり、充電をしたりすることができる。
【００１２】
図２が示すように、本実施例での外部電子装置はＭＰ３プレーヤー２００を使っている。当該ＭＰ３プレーヤー２００はＵＳＢポートを介して電源を供給するか充電している。使用する際に、一本のＵＳＢケーブル２１０の端はＭＰ３プレーヤー２００に接続しており、もう一端は当考案のマルチコンセント電気装置１００のＵＳＢポート１８に直接に差し込んでいる。コンセントケーブル２の電源プラグ２１を外部の交流電源コンセントに接続する場合、本考案のマルチコンセント電気装置１００は、ＵＳＢポート１８及びＵＳＢケーブル２１０を介してＭＰ３プレーヤー２００に対して電源を供給したり、充電をさせたりすることができる。このため、使用者がパソコンのない環境にいても、既存の外部の交流電源装置を利用してＭＰ３プレーヤー２００に対し、電源を供給したり、充電をさせたりすることができるので、使用者に便利を与える。
【００１３】
それから、図３を参照して前述の実施例を更に改善したものとする。本考案のマルチ電池コンセント装置１００は別の実施例において、ＵＳＢポート１８を二つ上下に並んで設置することにより、当考案のマルチコンセント電気装置１００が、同時に複数の外部電子装置に対して電源を供給して充電することができるようになる。
【００１４】
図４は、当考案のマルチコンセント電気装置１００のもう一つの実施例である。ここでの外部電子装置としてＭＰ３プレーヤー２００とデジタルカメラ３００が使用されている。両方ともＵＳＢポートを介して電源の供給や充電を行う。使用する際に、一本のＵＳＢケーブル２１０の片端はＭＰ３プレーヤー２００に接続し、もう一端は本考案のマルチコンセント電気装置１００のＵＳＢポート１８に直接に差し込む。同時に、もう一本のＵＳＢケーブル３１０の片端は、デジタルカメラ３００に接続し、もう一端は本考案のマルチコンセント電気装置１００のもう一つのＵＳＢポート１８に差し込む。コンセントケーブル２の電源プラグ２１を外部の交流電源コンセントに接続すれば、当考案のマルチコンセント電気装置１００は直ちに、両方のＵＳＢポート１８及び二本のＵＳＢケーブル２１０、３１０を通してＭＰ３プレーヤー２００及びデジタルカメラ３００に対して電源の供給や充電をし、使用者に便利を与える。
【００１５】
図５では、本考案は外部電子装置が電源の供給や充電のために利用できる交流三相プラグ挿入口１６及びＵＳＢポート１８を提供する以外、同時に電池の充電ができる。図に示すように、充電ソケット１５には二つの充電電池４００を装着することができ、それぞれの充電電池４００はそれぞれの充電電極１９と接触している。コンセントケーブル２の電源プラグ２１が外部の交流電源コンセントに接続したときに、本考案のマルチコンセント電気装置１００は直ちに、充電ソケット１５内の充電電極１９を通して外部の充電電池４００に対して充電する。使用者にとっては便利な使い方である。
【００１６】
以上をまとめると、当考案のマルチコンセント電気装置１００はＵＳＢポート１８の設置により、使用者にパソコンのない環境で、外部の普通交流電源装置を介してＵＳＢの付いている電子装置にたいして電源の供給や充電をすることを行い、使用者には便利に使用できる。そして、当考案のマルチコンセント電気装置１００はまた、充電ソケット１５及び充電電極１９で外部の充電電池に対して充電することもでき、余分の電池充電装置が必要なく、使用者はさらに便利に使える。
【図面の簡単な説明】
【００１７】
【図１】本考案マルチコンセント電気装置第一実施例の立体図である。
【図２】本考案マルチコンセント電気装置の第一実施例の利用表示図である。
【図３】本考案マルチコンセント電気装置の第二実施例の立体図である。
【図４】本考案マルチコンセント電気装置の第二実施例の利用表示図である。
【図５】本考案のマルチコンセント電気装置を使用して電池を充電させる利用の表示図である。
【符号の説明】
【００１８】
１  コンセント本体
２  コンセントケーブル
１１  トップ面
１２  前端面
１３  後端面
１４  指示ランプ
１５  充電ソケット
１６  三相プラグ挿入口
１７  電源スイッチ
１８  ＵＳＢポート
１９  充電電極
２１  電源プラグ
１００  マルチコンセント電気装置
１７１  左スイッチ部
１７２  右スイッチ部
２００  ＭＰ３プレーヤー
２１０、３１０  ＵＳＢケーブル
３００  デジタルカメラ
４００  充電電池
【図１】
0003127310.tif 000003
【図２】
0003127310.tif 000004
【図３】
0003127310.tif 000005
【図４】
0003127310.tif 000006
【図５】
0003127310.tif 000007